(57)【要約】      （修正有）【課題】より汎用性を持たせ、様々な種類の玩具銃を固定できるようにした玩具銃用の土台を提供する。【解決手段】ＳＧに於いて、符号番号１，２，２’、４，ｂ，ｃ，ｄ，ｅ  から成る懸架装置を利用した玩具銃用の土台に適宜、符号番号３およびａの部品を用いて、５−１、５−２の様な多用途追加部品を設置することができる。この様な構成で成るユニットと玩具銃及び汎用懸架装置とを組み合わせると、ＳＧをより楽しむことができるようになる。【選択図】図１
0003109710.tif 000002
【実用新案登録請求の範囲】
【請求項１】
底部に懸架装置取り付け用に設けた接続部を有し、玩具銃を固定する器具を備え、最前部に玩具銃設置後に起こる後方への偏重心に対処するためのカウンターウェイト（重心調整材）取り付け部を有し、各種追加部品取り付け用の多用途追加台座を設置するための取り付け部を有し、土台基礎部、玩具銃固定器具、カウンターウェイト、多用途追加台座、多用途追加部品から成る、懸架装置を利用した玩具銃用の土台。
ここで言うカウンタ−ウェイト（重心調整材）とは該土台に玩具銃及び懸架装置をそれぞれ取り付けたときに起こる偏重心を解消するための物である。これが無くても機能に問題は無いが、該土台の設計都合上、玩具銃本体の取り付けが射撃方向を前方とした時にどうしても後方に偏ってしまう。これを使用し重心バランスを平衡させた時、全体重量はカウンタ−ウェイト分重くなるが、操行操作は容易になる。即ち標的に対して照準が付けやすくなると言うことである。敏捷性を求められるＳＧにおいては重要事項である。
ここで言う多用途追加台座とは、使用者の都合に応じて取り付ける各種多用途追加部品を懸架するための台座である。この多用途追加部品とは例えば、攻撃的な物で有れば主玩具銃以外の二次的な発射、射撃装置であり、防御的な物で有れば敵弾を防ぐための防盾であり、補助的な物で有れば光学照準装置、照射装置等である。これら多用途追加部品を、使用者の要望に応じ、又効率良く懸架するための台座が多用途追加台座である。
上記該土台の構成要素に関する材料、材質、寸法、形状、構造、機能及び配置等設計に関する事項は、        考案の課題を解決するために適宜変化しても良い。
該土台１個を１つのユニットと換算し複数の該ユニットを結合せしめ、配置しても良い。
【考案の詳細な説明】
【考案の開示】
【考案の詳細な説明】
【考案が属する技術分野】
【０００１】本考案は玩具銃用の土台に関する物である。
【背景技術】
【０００２】従来、玩具銃の懸架装置取り付け用の土台は、専用部品を用いるため特定の玩具銃に特定の土台でしか利用できない場合が多く、汎用的ではなかった。
【考案が解決しようとする課題】
【０００３】  従来、玩具銃の懸架装置取り付け用の土台は、専用部品又は本体に取り付け用の設計がなければ固定できない場合が多かった。玩具銃を利用した撃ち合い遊びや標的射撃（シューティングゲーム、以下ＳＧと呼称する）で、大型、重量のある玩具銃を用いる際、遊戯者の肉体的疲労があった。又、玩具銃を該土台に設置する事で、”命中率の高い強固かつ安定した陣地構築”という要素が加わり、遊戯者の満足度をより高めることができるのではないかという思案があった。
【考案が解決しようとする手段】
【０００４】本考案は以上の課題を解決するために成された物である。玩具銃固定器具を工夫することにより汎用性を持たせ、様々な種類の玩具銃を固定できるようにする。この装置は例えば左右挟み込み式調節機能付き固定器具で挟み込む物である。実施例及び図面では既に実銃、玩具銃に用いられている”２０ｍｍ幅対応の銃用追加部品取り付け台座”に取り付けられるように試みた。
【考案の実施形態】
【０００５】本考案の実施形態は以下のとおりである。
該土台の底部に予め設けた懸架装置との接続部、例えばカメラ本体に設けられているインチねじ用の雌ねじ部等を設置し、該土台と懸架装置とを接続固定する。この場合の懸架装置とは主に汎用の光学機器設置用三脚である。そして、玩具銃本体に予め”２０ｍｍ幅対応の銃用追加部品取り付け台座”を設け、左右挟み込み調節機能付き固定器具等を用いて玩具銃と該土台を固定する。ここで固定された玩具銃は本体前部を玩具銃用固定器具に乗せる形になるため、射撃体勢が非常に安定する。銃自体の操行操作は上下左右方向共に銃を向けるだけで容易に実施できる。
【実施例】
【実施例１】
【０００６】ＳＧに於いて強固な陣地を形成するので、一定範囲に於いて味方側に有利である。
【実施例２】該土台と該土台が有効に利用されるための汎用三脚を装置した標準的な電動式玩具銃による射撃試験を屋内で試みた。試験における環境設定条件は、標的と玩具銃との距離は１０メートル、無風、平坦地、直径１２６．５ミリメートル（標的中心部直径は１９ミリメートル）の同心円形標的へ、標準的な電動式玩具銃を単発射撃で１０発射撃してみた。結果は標的に８発命中し、縦６０ミリメートル、横９０ミリメートルの長方形の範囲内へ着弾がまとまった。
【考案の効果】
【０００７】本考案による土台を利用することで、従来部品等無く設置しようと考慮しなかった玩具銃を陣地に容易に設置でき、重量のある玩具銃使用者、遊戯者の肉体的疲労が軽減される。又、土台と玩具銃本体との取り付け、解除が容易なため機動性も高い。単調になりがちな地形等で実施されるＳＧに、強力な陣地を形成する事で戦略的要素が加わり、遊戯者の満足度を高めることができる。又、玩具銃を三脚等の懸架装置に固定することにより射撃安定性が高まり、その結果標的への命中率が高まることも判った。この事も遊戯者の満足度を高めることに寄与している。さらに実施例２の試験中に感じたことであるが、玩具銃所持者個人が、単に遊びで気軽に標的を撃つ事、個人的ＳＧに於いても該土台の使用は適している。
【図面の簡単な説明】
【０００８】
【図１】該土台の前方斜視図である。
【図２】該土台上面図である。
【図３】該土台左側面図である。
【図４】該土台下面図である。
【図５】該土台右側面図である。
【図６】該土台の後方斜視図である。
【図７】該土台前方図である。
【図８】該土台後方図である。
【図９】多用途追加部品例その１、攻撃的追加部品の取り付け例前方斜視図である。
【図１０】多用途追加部品例その２、防御的追加部品の取り付け例前方斜視図である。
【図１１】該土台ユニット１個に多用途追加部品５−１，５−２をそれぞれ多用途追加土台の左右に１個づつ設置し、玩具銃、汎用三脚の取り付け例を示した、該土台使用例その１である。
【図１２】該土台ユニット２個に玩具銃、汎用三脚の取り付け例を示した、該土台使用例その２である。
【符号の説明】
【０００９】１  土台基礎部
２  玩具銃固定器具その１
２’玩具銃固定器具その２
３  多用途追加台座
４  カウンターウェイト
５−１  多用途追加部品例その１
５−２  多用途追加部品例その２
ａ  多用途追加台座固定用取っ手付き部品
ｂ  カウンターウェイト固定用部品
ｃ  玩具銃固定器具その２締め付け部部品
ｄ  玩具銃固定器具取り付け部品
ｅ  懸架装置接続穴
【図１】
0003109710.tif 000003
【図２】
0003109710.tif 000004
【図３】
0003109710.tif 000005
【図４】
0003109710.tif 000006
【図５】
0003109710.tif 000007
【図６】
0003109710.tif 000008
【図７】
0003109710.tif 000009
【図８】
0003109710.tif 000010
【図９】
0003109710.tif 000011
【図１０】
0003109710.tif 000012
【図１１】
0003109710.tif 000013
【図１２】
0003109710.tif 000014
【手続補正書】
【提出日】平成16年12月7日(2004.12.7)
【手続補正１】
【補正対象書類名】実用新案登録請求の範囲
【補正対象項目名】全文
【補正方法】変更
【補正の内容】
【実用新案登録請求の範囲】
【請求項１】
底部に懸架装置取り付け用に設けた接続部を有した土台基礎部、玩具銃固定器具部、重心調整材取り付け部、多用途追加台座部、多用途追加部品から構成される、懸架装置を利用した玩具銃用の土台。